(57)【要約】【課題】１つのエンコーダセンサで、搬送ローラ等の回転体の回転位置を特定し、かつ搬送ローラ１周にわたって一定の分解能で回転量を特定する。【解決手段】搬送ローラの回転軸を中心とした円周部に沿って、所定の波長域の光を透過する透過部と、光を遮断する遮光部とが所定のピッチで交互に複数配置されたパターン部を備え、複数の透過部のうち１つの透過部は、他の全ての透過部と異なる光の透過率を有し、搬送ローラを回転させる工程と、パターン部へ光を発光させる工程と、複数の透過部を透過した光を受光して電圧に変換する工程と、搬送ローラの回転に伴って変化する電圧に基づいて、搬送ローラの回転量及び回転位置を特定する工程とを備え、特定する工程は、ピッチと搬送ローラの回転速度とに従う電圧の変化に基づいて回転量を特定し、１つの透過部に対応して得られる電圧値に基づいて基準位置を特定し、基準位置と回転量から回転位置を特定する。【選択図】  図７
2013078908.tif 000002
【特許請求の範囲】
【請求項１】
搬送ローラにより記録媒体を所定の方向に搬送しながら前記記録媒体に記録を行う記録装置であって、
前記搬送ローラの回転軸を中心とした円周部に沿って、所定の波長域の光を透過する透過部と、前記光を遮断する遮光部とが所定のピッチで交互に複数配置され、前記搬送ローラに取り付けられたパターン部と、
前記パターン部に向けて前記光を発光する発光部と、
前記複数の透過部を透過した光を受光して電圧に変換して出力する受光部と、
前記搬送ローラの回転に伴って変化する前記電圧に基づいて、前記搬送ローラの回転量及び回転位置を特定する特定手段と、
を備え、
前記複数の透過部のうち１つの透過部は、他の全ての透過部と異なる光の透過率を有し、
前記特定手段は、
前記ピッチと前記搬送ローラの回転速度とに従う前記電圧の変化に基づいて前記回転量を特定し、
前記１つの透過部に対応して得られる電圧値に基づいて基準位置を特定し、
該基準位置と前記回転量から前記回転位置を特定する
ことを特徴とする記録装置。
【請求項２】
前記１つの透過部を含む前記複数の透過部の各々の光の透過率は段階的に変化することを特徴とする請求項１に記載の記録装置。
【請求項３】
前記搬送ローラ１回転分に対応した前記電圧の変化を示す情報を記憶した記憶手段を備え、
前記搬送ローラの回転に従って前記受光部から出力される前記電圧と前記記憶された前記電圧の変化を示す情報とを、比較することにより、前記１つの透過部の位置を特定すること
を特徴とする請求項１または２に記載の記録装置。
【請求項４】
前記記憶手段は、前記搬送ローラの複数の回転位置それぞれと関連付けられた前記搬送ローラの単位回転量当たりの前記記録媒体の搬送量を記憶し、
前記特定された前記回転位置と前記回転量とに基づいて、前記記録媒体の搬送量を算出することを特徴とする請求項３に記載の記録装置。
【請求項５】
搬送ローラにより記録媒体を所定の方向に搬送しながら前記記録媒体に記録を行う記録装置における、前記搬送ローラを回転させたときの前記搬送ローラの回転量及び回転位置を特定する方法であって、
前記記録装置は、
前記搬送ローラの回転軸を中心とした円周部に沿って、所定の波長域の光を透過する透過部と、前記光を遮断する遮光部とが所定のピッチで交互に複数配置され、前記搬送ローラに取り付けられたパターン部を備え、
前記複数の透過部のうち１つの透過部は、他の全ての透過部と異なる光の透過率を有し、
前記搬送ローラを回転させる工程と、
前記パターン部へ前記光を発光させる工程と、
前記複数の透過部を透過した光を受光して電圧に変換する工程と、
前記搬送ローラの回転に伴って変化する前記電圧に基づいて、前記搬送ローラの回転量及び回転位置を特定する工程と
を備え、
前記特定する工程は、
前記ピッチと前記搬送ローラの回転速度とに従う前記電圧の変化に基づいて前記回転量を特定し、
前記１つの透過部に対応して得られる電圧値に基づいて基準位置を特定し、
該基準位置と前記回転量から前記回転位置を特定する
ことを特徴とする方法。
【請求項６】
回転体の回転軸を中心とした円周部に沿って、所定の波長域の光を透過する透過部と、前記光を遮断する遮光部とが所定のピッチで交互に複数配置され、前記回転体に取り付けられたパターン部と、
前記パターン部に向けて前記光を発光する発光部と、
前記複数の透過部を透過した光を受光して電圧に変換して出力する受光部と、
前記回転体の回転に伴って変化する前記電圧に基づいて、前記回転体の回転量及び回転位置を特定する特定手段と、
を備え、
前記複数の透過部のうち１つの透過部は、他の全ての透過部と異なる光の透過率を有し、
前記特定手段は、
前記ピッチと前記回転体の回転速度とに従う前記電圧の変化に基づいて前記回転量を特定し、
前記１つの透過部に対応して得られる電圧値に基づいて基準位置を特定し、
該基準位置と前記回転量から前記回転位置を特定する
ことを特徴とする回転検出装置。
【発明の詳細な説明】
【技術分野】
【０００１】
本発明は、記録装置、及び搬送ローラ等の回転体の回転量と回転位置の特定方法に関する。
【背景技術】
【０００２】
近年記録装置の高画質化及び高生産性の要求が高まっている。その対策として、記録ヘッドの記録精度（例えばインクジェット記録装置の場合、インクの吐出量や吐出タイミング等）が考えられる。また、レーザプリンタ等であれば感光体ドラムの動作精度、インクジェット記録装置であれば記録ヘッドの搭載したキャリッジの動作精度、及び記録媒体の搬送精度を向上すること等が考えられる。
【０００３】
これらの対策の中で、記録媒体の搬送精度について着目する。搬送精度を向上させることにより、例えばインクジェット記録装置であれば、記録媒体上のより正確な位置にインクを吐出させることができる。インクジェット記録装置において、通常、記録媒体は搬送ローラを介して間欠搬送され、間欠搬送のタイミングに合わせて記録が行われる。搬送ローラが正確な円筒であれば、搬送ローラの回転量と記録媒体の搬送量の間には一定の関係が成り立つため、１回の搬送において所定の回転量だけ搬送ローラを回転させればよい。回転量は、通常、搬送ローラの端部に備えられたロータリエンコーダ等で検出し、所定の回転量に達すると搬送ローラを駆動するモータは検出信号に基づいて駆動を停止する。
【０００４】
しかし、実際には製造ばらつき等により、搬送ローラの形状は正確な円筒形状ではなく、例えば楕円形の断面を有し、搬送ローラの回転位置によって、回転量に対する搬送量の関係が変化する（搬送誤差が生じる）。そのため、記録媒体におけるインクの付着位置に誤差が生じ、記録された像の歪みや記録の濃淡等が生じる。
【０００５】
このような、搬送誤差が生じることを防止する技術として、特許文献１及び２では、搬送ローラ１周内に生じる搬送量変動を算出し、ローラの回転位置に応じた補正を行う方法が開示されている。
【先行技術文献】
【特許文献】
【０００６】
【特許文献１】特開２００３―０１１３４４号公報
【特許文献２】特開２００６―２７２９５７号公報
【特許文献３】特開平０７―２１４８５７号公報
【発明の概要】
【発明が解決しようとする課題】
【０００７】
特許文献１及び２の方法においては、補正を行うためには、ローラの回転位置を特定する必要があり、そのためには基準となる回転位置を特定（原点出し）する必要がある。
【０００８】
従来、原点出しはロータリエンコーダに用いるスリット板に、エンコーダに用いるスリットよりも内（外）側の円周上に１か所のスリットを設け、このスリットの境界を光学式センサで検出し、原点とする方法がある。
【０００９】
しかし、この方法では、エンコーダセンサとは別にセンサを設ける必要があり、部品点数の増加ひいてはコストアップにつながる。
【００１０】
これに対し、特許文献３に記載の装置によれば、基準位置となるスリットの幅を大きくし、この部分を検出することで、既存のエンコーダセンサを用いて原点出しを行うことができる。
【００１１】
しかし、この方法では、基準位置付近の回転量についての分解能が低下し、ひいては搬送精度の低下につながる。
【００１２】
そこで、本発明は、１つのエンコーダセンサで、搬送ローラ等の回転体の回転位置を特定でき、かつ回転体１周にわたって一定の分解能で回転量を特定できる装置や方法を提供することを目的とする。
【課題を解決するための手段】
【００１３】
上記目的を達成するために、本発明により、搬送ローラにより記録媒体を所定の方向に搬送しながら前記記録媒体に記録を行う記録装置であって、前記搬送ローラの回転軸を中心とした円周部に沿って、所定の波長域の光を透過する透過部と、前記光を遮断する遮光部とが所定のピッチで交互に複数配置され、前記搬送ローラに取り付けられたパターン部と、前記パターン部に向けて前記光を発光する発光部と、前記複数の透過部を透過した光を受光して電圧に変換して出力する受光部と、前記搬送ローラの回転に伴って変化する前記電圧に基づいて、前記搬送ローラの回転量及び回転位置を特定する特定手段と、を備え、前記複数の透過部のうち１つの透過部は、他の全ての透過部と異なる光の透過率を有し、前記特定手段は、前記ピッチと前記搬送ローラの回転速度とに従う前記電圧の変化に基づいて前記回転量を特定し、前記１つの透過部に対応して得られる電圧値に基づいて基準位置を特定し、該基準位置と前記回転量から前記回転位置を特定することを特徴とする記録装置が提供される。
【００１４】
また、本発明により、搬送ローラにより記録媒体を所定の方向に搬送しながら前記記録媒体に記録を行う記録装置における、前記搬送ローラを回転させたときの前記搬送ローラの回転量及び回転位置を特定する方法であって、前記記録装置は、前記搬送ローラの回転軸を中心とした円周部に沿って、所定の波長域の光を透過する透過部と、前記光を遮断する遮光部とが所定のピッチで交互に複数配置され、前記搬送ローラに取り付けられたパターン部を備え、前記複数の透過部のうち１つの透過部は、他の全ての透過部と異なる光の透過率を有し、前記搬送ローラを回転させる工程と、前記パターン部へ前記光を発光させる工程と、前記複数の透過部を透過した光を受光して電圧に変換する工程と、前記搬送ローラの回転に伴って変化する前記電圧に基づいて、前記搬送ローラの回転量及び回転位置を特定する工程とを備え、前記特定する工程は、前記ピッチと前記搬送ローラの回転速度とに従う前記電圧の変化に基づいて前記回転量を特定し、前記１つの透過部に対応して得られる電圧値に基づいて基準位置を特定し、該基準位置と前記回転量から前記回転位置を特定することを特徴とする方法が提供される。
【００１５】
さらに、本発明により、回転体の回転軸を中心とした円周部に沿って、所定の波長域の光を透過する透過部と、前記光を遮断する遮光部とが所定のピッチで交互に複数配置され、前記回転体に取り付けられたパターン部と、前記パターン部に向けて前記光を発光する発光部と、前記複数の透過部を透過した光を受光して電圧に変換して出力する受光部と、前記回転体の回転に伴って変化する前記電圧に基づいて、前記回転体の回転量及び回転位置を特定する特定手段と、を備え、前記複数の透過部のうち１つの透過部は、他の全ての透過部と異なる光の透過率を有し、前記特定手段は、前記ピッチと前記回転体の回転速度とに従う前記電圧の変化に基づいて前記回転量を特定し、前記１つの透過部に対応して得られる電圧値に基づいて基準位置を特定し、該基準位置と前記回転量から前記回転位置を特定することを特徴とする回転検出装置が提供される。
【発明の効果】
【００１６】
この構成では、１つのセンサにより得られた電圧のうち、透過部と遮光部の繰り返しによる短周期の変化に基づいて搬送ローラの回転量が、基準となる透過部を光が透過した時に出力される電圧が他の透過部における電圧と異なることから基準位置が特定できる。この基準位置からの回転量から回転位置が特定する。したがって、１つのエンコーダセンサで、搬送ローラ等の回転体の回転位置を特定でき、かつ回転体１周にわたって一定の分解能で回転量を特定できる。
【図面の簡単な説明】
【００１７】
【図１】本発明の一実施形態に係るインクジェット記録装置を示す斜視図。
【図２】本発明の一実施形態に係るインクジェット記録装置の機能的な構成を示す図。
【図３】搬送エンコーダの構成を示した図。
【図４】エンコーダセンサの構成とパターン部の位置関係の詳細を示した図。
【図５】エンコーダ信号検出回路構成を示す図。
【図６】受光部の２つの相から出力されるアナログ信号の波形を示す図。
【図７】本発明の一実施形態に係るエンコーダのパターン部を示す図。
【図８】本発明の一実施形態に係るエンコーダの出力の変化を示す図。
【図９】本発明の一実施形態の変形例に係るエンコーダのパターン部を示す図。
【図１０】本発明の一実施形態に係る搬送ローラの断面を示す図。
【図１１】本発明の他の実施形態におけるパターン部を示す図。
【図１２】本発明の他の実施形態の構成により得られるエンコーダからの信号の振幅変化を示す図。
【発明を実施するための形態】
【００１８】
以下、図面を参照して本発明の好適な実施形態の一つとしてインクジェット記録方式を用いた記録装置を例に挙げて説明する。記録装置としては、例えば、記録機能のみを有するシングルファンクションプリンタであってもよいし、また、例えば、記録機能、ＦＡＸ機能、スキャナ機能等の複数の機能を有するマルチファンクションプリンタであってもよい。また、例えば、カラーフィルタ、電子デバイス、光学デバイス、微小構造物等を所定の記録方式で製造するための製造装置であってもよい。
【００１９】
なお、以下の説明において、「記録」とは、文字、図形等有意の情報を形成する場合のみならず、有意無意を問わない。更に人間が視覚で知覚し得るように顕在化したものであるか否かも問わず、広く記録媒体上に画像、模様、パターン、構造物等を形成する、又は媒体の加工を行なう場合も表す。
【００２０】
また、「記録媒体」とは、一般的な記録装置で用いられる紙のみならず、布、プラスチック・フィルム、金属板、ガラス、セラミックス、樹脂、木材、皮革等、インクを受容可能なものも表す。
【００２１】
更に、「インク」とは、上記「記録」の定義と同様広く解釈されるべきものである。従って、記録媒体上に付与されることによって、画像、模様、パターン等の形成又は記録媒体の加工、或いはインクの処理（例えば、記録媒体に付与されるインク中の色剤の凝固または不溶化）に供され得る液体を表す。
【００２２】
以下の説明において、既に説明した部分には同一符号を付し重複説明を省略する。
【００２３】
＜インクジェット記録装置の全体構成＞
図１は、本発明の実施形態に係るインクジェット記録装置（以下、記録装置と呼ぶ）を示す斜視図である。
【００２４】
まず、記録媒体を搬送するための構成について説明する。記録待機中において記録媒体である記録用紙１１５は、給紙ベース１０６にスタックされており、記録開始時には給紙ローラ（不図示）により記録用紙１１５が給紙される。給紙された記録用紙１１５は搬送ローラ１１０とピンチローラ１１１との間に挟まれる。ピンチローラ１１１はピンチローラばね（不図示）により記録用紙に押圧される。この状態でＤＣモータである搬送モータ１０７を駆動し、ギア列（モータギア１０８、搬送ローラギア１０９）を介して搬送ローラ１１０を回転（及びピンチローラ１１１を従動回転）させて記録用紙１１５を搬送方向（第１の方向）に所定の搬送量だけ搬送する。ここで、搬送量は搬送ローラギア１０９に圧入されたコードホイール（ロータリエンコーダフィルム）１１６に設けられたパターン部とエンコーダセンサ１１７により、回転体である搬送ローラ１１０の回転量を検知することで管理する（詳細は後述する）。このコードホイール１１６に設けられたパターン部とエンコーダセンサ１１７を合わせて以下エンコーダ（回転検出装置）として、具体的な構成については後述する。記録用紙１１５上の記録しようとする部分がプラテン１１２上に達したら、搬送を停止し、記録ヘッド１０１により、この部分に記録が行われる。記録が行われた後、再び記録用紙１１５は搬送され、搬送と記録が交互に行われる（すなわち、間欠搬送しながら記録が行われる）。一連の記録が全て完了すると、排紙ローラ１１３によって排紙される。なお、本実施形態では記録媒体として記録用紙１１５を用いているが、構成・目的によっては、ロール紙を用いてもよい。
【００２５】
次に、記録媒体に記録を行うための構成について説明する。記録ヘッド１０１は、記録ヘッド１０１に供給するインクを貯留するインクタンクを備え、インクジェット方式に従ってインクを吐出して記録を行なうインクジェット記録ヘッドである。インクタンクは、マットブラック（ＭＢｋ）、マゼンタ（Ｍ）、シアン（Ｃ）、イエロ（Ｙ）、ブラック（Ｋ）が備えられており、これら５つのインクタンクは、それぞれ独立して着脱可能である。記録ヘッド１０１はキャリッジ１０２に搭載されている。キャリッジ１０２は、キャリッジ駆動方向（第２の方向）に沿って往復移動が可能となるように、ガイドシャフト１０３により支持されている。ガイドシャフト１０３は、両端がシャーシ１１４に固定されている。キャリッジモータ１０５を駆動することにより、キャリッジ１０２と係合したベルト１０４を介してキャリッジ１０２が駆動される。この構成により、キャリッジ１０２を往復移動させながら記録ヘッド１０１は記録領域においてインクを吐出して記録を行う。反射型光学センサ１１８は、用紙に記録形成された調整パターンの濃度を検出し、インクの着弾位置ずれ量を検出する機能を果たす。キャリッジ走査（主走査方向）および用紙搬送動作（副走査方向）を組み合わせることにより、反射型光学センサ１１８は用紙上に形成された調整パターンの濃度を任意に検出することができる。なお、反射型光学センサ１１８は用紙の端部検知に利用しても良い。
【００２６】
本実施形態に係わる記録ヘッド１０１は、熱エネルギを利用してインクを吐出するインクジェット方式を採用している。そのため、記録ヘッド１０１は、発熱抵抗素子を備えている。発熱抵抗素子は、各吐出口のそれぞれに対応して設けられ、対応する発熱抵抗素子に記録信号に応じたパルス電圧を印加する。これにより、対応する吐出口からインクが吐出される。しかし、これに限定されず、例えば、ピエゾ素子を用いた方式、静電素子を用いた方式、ＭＥＭＳ素子を用いた方式など、様々なインクジェット方式を採用してもよい。
【００２７】
＜インクジェット記録装置の機能的構成＞
図２は、本発明の実施形態に係るインクジェット記録装置の機能的な構成を示す図である。コントローラ２００は主制御部であり、ＣＰＵ２０１、ＲＯＭ２０２、特殊用途集積回路（ＡＳＩＣ）２０３、ＲＡＭ２０４、システムバス２０５、Ａ／Ｄ変換器２０６などを具備する。
【００２８】
ＣＰＵ２０１は、モータ、記録ヘッド等の各部分を動作させるためのプログラムの実行、及び動作の補正等に必要な計算を行う。ＲＯＭ２０２は、記録装置の動作を制御するためのプログラム、所要のテーブル、その他の固定データを格納する。ＡＳＩＣ２０３は、キャリッジモータ１０５、搬送モータ１０７、記録ヘッド１０１に備えられた記録素子の動作を制御するための制御信号の生成を行う。ＲＡＭ２０４は、画像データの展開領域やプログラム実行のための作業用領域等として用いられる。システムバス２０５は、ＣＰＵ２０１、ＲＯＭ２０２、ＡＳＩＣ２０３、ＲＡＭ２０４を相互に接続してデータの授受を行う。Ａ／Ｄ変換器２０６は、後述するセンサ群から入力されるアナログ信号をＡ／Ｄ変換し、変換後のデジタル信号をＣＰＵ２０１に供給する。
【００２９】
ホスト装置２１０は、画像データの供給源となるコンピュータ（或いは、画像読取用のリーダやデジタルカメラなど）である。ホスト装置２１０と記録装置との間では、インタフェース（以下、Ｉ／Ｆと呼ぶ）２１１を介して画像データ、コマンド、ステータス信号等の授受が行なわれる。
【００３０】
操作部２２０は操作者による指示入力を受容するスイッチ群である。操作部２２０は、電源スイッチ２２１、プリントスイッチ２２２、回復スイッチ２２３、マニュアルでレジスト調整を行なうためのレジスト調整起動スイッチ２２４、マニュアルで該調整値を入力するためのレジスト調整値設定入力部２２５などを具備する。
【００３１】
センサ群２３０は装置の状態を検出するためのセンサ群であり、上述のエンコーダセンサ１１７、反射型光学センサ１１８、及び環境温度を検出するために適宜の部位に設けられた温度センサ２３１等を有する。
【００３２】
キャリッジモータドライバ２４０は、ＡＳＩＣ２０３からの信号を受信して、キャリッジモータ１０５を駆動するための電流を出力する。搬送モータドライバ２４２は、ＡＳＩＣ２０３からの信号を受信して、搬送モータ１０７を駆動するための電流を出力する。ヘッドドライバ２４６は、ＡＳＩＣ２０３からの信号を受信して、プリントデータ等に応じて記録ヘッド１０１内の吐出ヒータを駆動する。ヘッドドライバ２４６は、プリントデータを吐出ヒータの位置に対応させて整列させるシフト・レジスタ、適宜のタイミングでラッチするラッチ回路がある。さらに、駆動タイミング信号に同期して吐出ヒータを作動させる論理回路素子の他、ドット形成位置合わせのために駆動タイミング（吐出タイミング）を適切に設定するタイミング設定部等を有する。
【００３３】
＜搬送ローラの回転量を特定するための構成＞
図３は、搬送エンコーダの構成を示した図である。ここで、以下に説明にある「検出光」とは、エンコーダセンサ１１７に備えられた発光部が発する光に含まれる所定の波長域の光で、可視光に限らず、赤外線または紫外線であってもよい。
【００３４】
コードホイール１１６は搬送ローラ１１０の回転軸を中心とした円周部に沿って、検出光を透過する透過部３１と、検出光を遮断する遮光部３２とが所定のピッチで交互に複数配置されたパターン部３０を有する。透過部３１にはスリットが設けられており、スリットには検出光を透過するフィルム３１１が取り付けられている。透過部３１及び遮光部３２の数は記録装置の解像度に応じて定められている。本実施形態では、透過部３１及び遮光部３２の円周方向の幅は全て等しく、これによって搬送ローラ１回転にわたって一定の解像度が得られる。
【００３５】
図４は、エンコーダセンサの構成とパターン部の位置関係の詳細を示した図で、図３のＡ−Ａ断面を示している。
【００３６】
エンコーダセンサ１１７はパターン部３０に向けて検出光を発光する発光部４１と、発光部に対し、パターン部３０を挟む位置に光電変換素子を有する受光部４２を備え、パターン部３０における透過部３１を透過した検出光を受光する。検出光が透過部３１に当たった場合、検出光は受光部４２に達し、受光部４２は検出光を受光し、光電変換されて受光量に応じた電圧を出力する（以下、この電圧を検出値とする）。本実施形態では、検出値は信号としてプリンタの回路基板に出力される。一方、検出光が遮光部３２に当たった場合、検出光は遮断され、受光部４２は検出光を受光せず信号を出力しない。
【００３７】
受光部４２は複数設けられ、Ａ相及びＢ相の２相のセンサから構成され、透過部３１の間隔を１周期とした場合、その１／４周期毎に交互に入れ替わる。Ｂ相から得られる信号はＡ相から得られる信号に対して９０度ずれた位相の信号になるため、受光部４２は透過部３１の間隔の４倍の分解能で搬送ローラ１１０の回転量を特定できる。
【００３８】
また、受光部４２は、平均化のために、Ａ相に対し１８０度位相がずれる位置にＡ´相、Ｂ相に対し１８０度位相がずれる位置にＢ´相を備える。Ａ´相はＡ相に対して、Ｂ´相はＢ相に対してそれぞれ反転した値を出力する。これにより、各相における位相の検出精度が高まる。上記からわかるように、Ａ相とＡ´相、及びＢ相とＢ´相とは位相関係が同じであるため、以降、重ねあわせで作成した信号もＡ相及びＢ相と呼ぶ。エンコーダセンサ１１７はこのように生成されたＡ相及びＢ相の信号を出力する。
【００３９】
図５は、エンコーダ信号検出回路構成を示す図である。ＩＣ５０は、比較機能やカウント機能を有する。この回路により、エンコーダセンサ１１７から出力されたＡ相、Ｂ相の信号から高分解能の信号を生成される。まず、Ａ相及びＢ相の信号を加算する。２つの信号を重ねることで、振幅は、√２倍、位相はＡ相とＢ相の中央（Ａ相に対し４５度（π／４）のずれ）の信号が生成される。ここで、得られた波形に対し、１／√２を乗じることで、Ａ相及びＢ相の信号に対して振幅が等しく、位相がＡ相、Ｂ相の中央になる信号が生成される。ここで生成された信号にさらにＡ相が加算され、同じように振幅が規格化（１／√（２＋２ｃｏｓ（π／４））を乗じる）されて、Ａ相に対して２２．５度（π／８）位相をずらした信号が生成される。図のように、このような演算を４回繰り返すことで演算前に対して１６逓倍（透過部３１のピッチに対して６４逓倍）の信号を生成できる。
【００４０】
図６は、受光部の２つの相（Ａ相及びＢ相）から出力されるアナログ信号の波形を示す図である。なお、この図では実際の装置での検出値に合わせて横軸を時間としているが、搬送ローラが定速で回転していれば、横軸を位相としても同じ波形が得られる。以下の説明では、この波形の周期に必要な時間に搬送ローラ１１０の回転速度を乗じた値が透過部３１のピッチとなる。この図において各々の波形は振幅が±１Ｖとなるように規格化されている。また、この図においてはＡ相の波形６１に、Ｂ相の波形６２、（Ａ＋Ｂ）相の波形６３、及び（Ａ＋Ｂ）相およびＡ相から生成される波形６４が示されている。ＣＰＵ２０１はアナログ信号を受信することで検出値を取得し、それぞれの検出値が基準値（本実施形態では、出力０の点）を通過する回数を計数することで、搬送ローラ１１０の回転量を特定する。
【００４１】
＜搬送ローラの回転位置を特定するための構成＞
本実施形態によるエンコーダは、上で取得した検出値を用いて回転位置も特定できる。すなわち、搬送ローラ１１０の回転量を特定するためのエンコーダセンサ１１７及びパターン部３０を用いて、搬送ローラ１１０の回転位置を特定することができる。以下にそのための構成について説明する。
【００４２】
図７は、本実施形態におけるエンコーダのパターン部を示した図で、隣り合う透過部３１は、それぞれ検出光の透過率が異なり、搬送ローラ１回転分を周期として検出光の透過率が変化する。さらに、搬送ローラ１１０の回転基準位置を特定するために、基準位置７０における透過部３１の透過率は他の全ての透過部３１の透過率よりも大きい（または小さい）。なお、透過部３１の透過率を変化させる方法は、透過部３１に取り付けられたフィルムの透過率を変化させれば良い。例えば、それぞれの透過部におけるフィルムに異なる透過率のインクを用いて印刷しても良く、また、エンコーダセンサの感度に対し、敏感に反応しない程度のドットで形成しても良い。
【００４３】
図８は、本実施形態において搬送ローラ１１０を回転させたときのエンコーダの出力の変化を示す図で、受光部における受光量（検出値）の変化を表している。この図において横軸は時間であるが、これに搬送ローラの回転速度を乗じれば回転位置となる。ローラを回転させることで、上でも述べたように、検出値８１において透過部３１と遮光部３２との繰り返しによる短周期の変化が見られる。それに加えて、各々の透過部３１の透過率は異なるため、各々の周期における振幅（最大値と最小値の差）も変化する。その振幅の変化を曲線８２として示す。本実施形態では、搬送ローラ１回転を周期（以下、この周期を長周期とする）として振幅が変化し、この長周期において振幅が最大（または最小）となる位置から搬送ローラ１１０の回転原点（基準位置）７０が特定される。この原点７０とＤＵＴＹ変化位置から初期位置の絶対位置が算出され、ＲＡＭ２０４に記憶される。その後、搬送ローラ１１０は、初期位置に戻される。以降は、原点７０からの回転量の積算値を搬送ローラ１１０の回転位置として特定する。なお、原点７０の特定は、電源ＯＮ時、または、スリープ状態からの復帰時などに初期状態を設定する必要のあるとき、あるいは搬送ローラ１１０の駆動毎に行っても良い。
【００４４】
本実施形態のように、各々の透過部３１の透過率は搬送ローラ１回転にわたって段階的に変化し、そのため透過部ごとに振幅も段階的に変化する。本体組立時に、ＲＯＭ２０２に、振幅を搬送ローラ１回転分記憶する（長周期を１周期分記憶）。搬送ローラ１１０を駆動したとき、得られる振幅の値とＲＯＭ２０２に記憶された振幅を比較することで、原点７０の位置を特定できる。なお、原点７０にある透過部３１の透過率が最大である場合には、ＲＯＭ２０２には振幅ではなく、電圧の波形でもよく、この場合は搬送ローラ１回転における電圧の最大値となる。
【００４５】
したがって、この構成では、搬送ローラ１１０を原点７０まで回転させなくても原点位置を推定できる。例えば、原点に対して９０度の位置から１８０度の位置まで回転させる場合でも、振幅の変化から原点７０を推定できる。また、原点の特定は複数の振幅に基づいて行われるため、例えば、原点７０における透過部３１の傷などにより、直接原点７０における検出値が得られなくとも、周囲の検出値の変化から原点７０を推定できる。そのため、局所的な不具合による回転位置の誤検出を抑制することができる。さらに、振幅の値だけでなく、搬送ローラ１回転分の推移を比較することで、経時変化やインクミストによる汚れ等により、搬送ローラ１周にわたって透過部３１の透過率が変化した場合であっても回転位置の特定が行える。
【００４６】
なお、本実施形態では透過率が最大または最小となる透過部３１を基準としたが、他の全ての透過部と異なる透過率を有する透過部３１であれば、基準となる透過部に対応する電圧値が得られ、原点７０を特定できる。また、図９のようにパターン部の特定箇所（例えば１か所）の透過部３１ａのみ透過率を変える構成であっても、装置が正常な状態であれば、エンコーダセンサ１１７を用いた原点の特定は行える。しかし、上記のような透過部の傷等による異常値や経年劣化に対する誤検出を抑制することはできない。また、隣接する透過部との透過率の差を大きくすると、図５の計算を行うと、算出された波の位相のずれが大きくなる。そのため、透過部のコントラストを十分に確保して原点の特定を確実に行いたい場合は、分解能を上げるための図５のような演算を行えず、複雑な演算を行うことになる。
【００４７】
＜搬送量の算出方法＞
上記の構成により得られた回転量及び回転位置から記録媒体の搬送量を求める方法を説明する。図１０は本実施形態における搬送ローラの断面を示す図である。搬送ローラ１１０の記録媒体に接する部分は図１０に示すように歪んだ円筒形で、回転軸から外周までの距離が９〜１１ｍｍの間で変化する。また、パターン部には、透過部３１が１０度ピッチで３６個設けられている。
【００４８】
まず、搬送ローラ１１０を単位回転量だけ駆動し、その時の記録媒体の搬送量を計測する。ここでは、単位回転量を透過部３１のピッチ（１０度）とする。また、回転位置は上で述べた方法により得られる。この操作を搬送ローラ１回転分繰り返すことで搬送ローラ１１０の回転位置毎の、単位回転量当たりの記録媒体の搬送量を求める。計測される搬送量は、例えば、原点から３０〜４０度の回転位置において、回転軸から外周までの距離が９ｍｍであれば、９×２π×１０／３６０＝１．５７ｍｍ／１０度が得られる。また、１２０〜１３０度において、この距離が１１ｍｍであれば、１１×２π×１０／３６０＝１．９２ｍｍ／１０度が得られる。なお、本実施形態ではテストパターンを記録してキャリッジ１０２に備えられた反射型光学センサ１１８を用いてテストパターンの濃度を測定し、濃度と搬送距離の関係から搬送量を求めるが、直接搬送距離を測定してもよい。
【００４９】
このようにして得られた複数の回転位置それぞれと関連付けた単位回転量当たりの搬送量をテーブルとしてＲＯＭ２０２に記憶させる。以後の搬送時には、このテーブルを参照しながら、特定された回転位置と回転量に基づいて記録媒体の搬送量を求める。例えば、３０度の回転位置で記録媒体を１ｍｍ搬送したい場合を考える。上記の通り３０〜４０度の回転位置における回転量１０度当たりの搬送量は１．５７ｍｍであるため、１．５７ｍｍ×θ／１０度＝１ｍｍとなり、ここからθ＝６．４度が得られる。このことから、３０度の回転位置において１ｍｍ記録媒体を搬送させるためには搬送ローラ１１０を６．４度回転させれば良いことになる。１２０度の回転位置で記録媒体を１ｍｍ搬送する場合も同様の計算を行うと、θ＝５．２度が得られる。
【００５０】
＜本実施形態の効果＞
以上の構成により、１つのエンコーダセンサで搬送ローラの回転量と回転位置の両方を特定できる。さらに、ここで得られた回転量と回転位置を用いて記録媒体の搬送量を算出すれば、部品点数の増加を防止しつつ高い精度で記録媒体を搬送することができる。
【００５１】
また、本実施形態ではインクジェット記録装置の搬送ローラについて説明したが、上記エンコーダの構成は、搬送ローラにより記録媒体の搬送を行う記録装置であれば、他の方式のもの（例えばドラム式の記録装置）に適用してもよい。
【００５２】
＜他の実施形態＞
上記の構成を実際のインクジェット記録装置に適用する例を説明する。ここで用いるパターン部３０には、搬送ローラ１周内に約４０００の透過部３１が存在し、エンコーダセンサは上記のようにＡ相とＢ相の２相を備え、装置として４８００ｄｐｉの分解能を有する。このエンコーダセンサからの信号に対して、図５に示したものと同様の演算を行い１６逓倍の信号を生成する。したがって、本実施形態におけるエンコーダは、解像度７６８００ｄｐｉ（４８００ｄｐｉ×１６逓倍）まで対応できる。
【００５３】
図１１は本実施形態におけるパターン部を示す図である。記録の分解能が高いと、必要とされる透過部３１の数は多くなる。そのため、上記実施形態のように、搬送ローラ１周にわたって段階的に変化させると、隣り合う透過部間の透過率の差は小さいものとなり、基準位置の検出誤差が大きくなる。そこで、図１１に示すように、原点１１００における透過部３１の透過率を最大として、原点１１００の左右にある回転位置の一部の区間１１０１ａ及び１１０１ｂに含まれる透過部３１において、透過率を段階的に変化させる。
【００５４】
図１２は本実施形態の構成により得られるエンコーダからの信号の振幅変化を示す図である。本図において、区間１１０１ａ及び１１０１ｂの長さは、それぞれ回転位置の分解能と同じである。
【００５５】
ここで、それぞれの区間１１０１ａ、１１０１ｂ内に必要な透過部３１の数を求める。隣り合う透過部の透過率の差（検出値の隣り合う短周期における振幅の差）が２０％を超えると、検出値の波形が大きく歪み、演算結果に影響を与える。一方で、原点だし（基準位置の特定）を行なうために必要な区間１１０１ａ、１１０１ｂそれぞれにおける透過率の差（振幅差）は、経時変化を考慮して、３倍以上とすることが好ましい。したがって、下記の計算より、必要な透過部の数を算出する。
【００５６】
１．２ｘ＝３  ・・・（式１）
この式よりｘ＝６が求まる。よって、最小の振幅となる透過部の位置から最大の振幅となる透過部の位置まで６ピッチ分必要となる。さらに、振幅を減少させていく場合も同様に６ピッチ必要となる。すなわち、区間１１０１ａ及び１１０１ｂにはそれぞれ６個の透過部が必要となる。
【００５７】
次に、搬送量を算出するために必要な回転位置の分解能について説明する。記録装置において記録の精度を確保するためには、搬送量を正確に算出する必要がある。そのため、搬送ローラの回転量の情報は高分解能が望ましい。一方で、搬送ローラの外形の歪み量は急激には変化しないため、単位搬送量も急激には変化しない。したがって、単位搬送量を決めるための回転位置は搬送量ほどの分解能は必要せず、むしろ最低限の分解能であればＲＯＭ２０２に記憶するデータ量も少なくて済む。本実施形態では、単位搬送量は７．５度単位で１周３６０度分ＲＯＭ２０２に記憶されている。そのため、回転位置は７．５度単位で判断できれば良い。搬送ローラ１回転（３６０度）における透過部の数は約４０００であるため、７．５度の範囲に含まれる透過部の数は、４０００×（７．５／３６０）となり約８０となる。すなわち、区間１１０１ａ及び１１０１ｂはそれぞれ約８０個の透過部３１が含まれており、上記の条件を満たす。
【００５８】
この構成により、透過部の数が多い高分解能の記録を行う場合であっても、回転位置の精度を低下させずに記録媒体の搬送を行うことができる。
【図１】
2013078908.tif 000003
【図２】
2013078908.tif 000004
【図３】
2013078908.tif 000005
【図４】
2013078908.tif 000006
【図５】
2013078908.tif 000007
【図６】
2013078908.tif 000008
【図７】
2013078908.tif 000009
【図８】
2013078908.tif 000010
【図１０】
2013078908.tif 000011
【図１２】
2013078908.tif 000012
【図９】
2013078908.tif 000013
【図１１】
2013078908.tif 000014